(57)【要約】【課題】ＲＦＩＤタグを用いて、より簡単な作業で廃棄物の分別状態に関する情報の収集・管理を効率的かつ確実におこなうこと。【解決手段】ＲＦＩＤタグ１５３が貼付され廃棄物１５２が格納された廃棄物容器１５１が廃棄物収集場１１２に廃棄される（１）。廃棄物容器１５１が廃棄物収集車１３０の廃棄物投入口付近に載置される（２）。ＲＦＩＤタグ１５３から廃棄物情報が読み取られる（３）。廃棄物情報がサーバ１２１に送信される（４）。廃棄物１５２の分別状態が判定される（５）。廃棄物分別情報がサーバ１２１に送信される（６）。排出者１４０が保有する情報端末１６０に対して廃棄物１５２の収集を制限することを通知する（７）。作業員１１１に対して排出者１４０によって廃棄された廃棄物１５２を収集しないように指示する（８）。【選択図】図１
2008041054.tif 000002
【特許請求の範囲】
【請求項１】
所定の排出者によって排出され、廃棄物収集作業員によって廃棄物収集車両に収集される廃棄物の分別状態に関する情報を管理する廃棄物収集管理装置であって、
前記廃棄物が収集されるときに、前記廃棄物を格納する廃棄物容器に設けられたＲＦＩＤ（Ｒａｄｉｏ  Ｆｒｅｑｕｅｎｃｙ  ＩＤ）タグに記録された情報であって、前記排出者を特定する情報を含む廃棄物に関する情報を取得する廃棄物情報取得手段と、
前記廃棄物が収集されるときに、当該廃棄物に対する、前記廃棄物の分別状態に関する情報の入力を受け付ける廃棄物分別情報入力手段と、
前記廃棄物分別情報入力手段によって入力された前記廃棄物の分別状態に関する情報を、前記廃棄物に関する情報に関連付けして所定の記録媒体に記録する廃棄物分別情報記録手段と、
を備えたことを特徴とする廃棄物収集管理装置。
【請求項２】
前記廃棄物情報取得手段は、前記廃棄物収集車両の所定の位置であって、前記廃棄物が収集されるときに前記廃棄物に関する情報を取得することが可能な位置に設けられたことを特徴とする請求項１に記載の廃棄物収集管理装置。
【請求項３】
前記所定の記録媒体は、前記廃棄物容器に設けられたＲＦＩＤタグであり、前記廃棄物分別情報記録手段は、当該ＲＦＩＤタグに前記廃棄物の分別状態に関する情報を記録することを特徴とする請求項１または２に記載の廃棄物収集管理装置。
【請求項４】
前記所定の記録媒体に記録された前記廃棄物の分別状態に関する情報に基づいて、前記排出者によって排出された廃棄物の収集に関する措置を判断する判断手段をさらに備えたことを特徴とする請求項１〜３のいずれか一つに記載の廃棄物収集管理装置。
【請求項５】
前記判断手段によって判断された結果に関する情報を所定の情報端末へ送信する送信手段をさらに備えたことを特徴とする請求項４に記載の廃棄物収集管理装置。
【請求項６】
前記判断手段によって判断された結果に関する情報を出力する出力手段をさらに備えたことを特徴とする請求項４または５に記載の廃棄物収集管理装置。
【請求項７】
前記出力手段は、前記廃棄物収集車両に設けられた情報端末または前記廃棄物収集作業員によって携帯される情報端末が備え、前記情報を出力することを特徴とする請求項６に記載の廃棄物収集管理装置。
【請求項８】
所定の排出者によって排出され、廃棄物収集作業員によって廃棄物収集車両に収集される廃棄物の分別状態に関する情報を管理する廃棄物収集管理方法であって、
前記廃棄物が収集されるときに、前記廃棄物を格納する廃棄物容器に設けられたＲＦＩＤ（Ｒａｄｉｏ  Ｆｒｅｑｕｅｎｃｙ  ＩＤ）タグに記録された情報であって、前記排出者を特定する情報を含む廃棄物に関する情報を取得する廃棄物情報取得工程と、
前記廃棄物が収集されるときに、当該廃棄物に対する、前記廃棄物の分別状態に関する情報の入力を受け付ける廃棄物分別情報入力工程と、
前記廃棄物分別情報入力工程によって入力された前記廃棄物の分別状態に関する情報を、前記廃棄物に関する情報に関連付けして所定の記録媒体に記録する廃棄物分別情報記録工程と、
を含んだことを特徴とする廃棄物収集管理方法。
【請求項９】
請求項８に記載の廃棄物収集管理方法をコンピュータに実行させることを特徴とする廃棄物収集管理プログラム。
【発明の詳細な説明】
【技術分野】
【０００１】
この発明は、ＲＦＩＤ（Ｒａｄｉｏ  Ｆｒｅｑｕｅｎｃｙ  ＩＤ）タグを用いて、廃棄の対象となる廃棄物の分別状況の管理をおこなう廃棄物収集管理装置、廃棄物収集管理方法、および廃棄物収集管理プログラムに関する。
【背景技術】
【０００２】
従来、家庭などから排出された廃棄物は、廃棄物の収集、処分およびリサイクルなどを効率的におこなうため自治体などの廃棄物収集者によって廃棄物の種類ごとに分別収集されている。そのため廃棄物の排出者は、廃棄物の種類ごとに廃棄物を分別して排出するように義務付けられている。また自治体においては、廃棄物情報（地域、廃棄物の種類、廃棄物の排出量など）を収集・管理して、収集された廃棄物情報に基づいた効率的な廃棄物の収集、処分およびリサイクルなどをおこなうための計画がおこなわれている。
【０００３】
そこで、たとえば上述した廃棄物情報の収集および管理を効率的かつ確実におこなうため、廃棄物の収集時に、廃棄物に混入されたＩＤタグから廃棄物情報を読み取ることによって廃棄物情報を収集することができる廃棄物収集管理システムが開示されている（たとえば下記特許文献１参照。）。
【０００４】
【特許文献１】特開２００４−１７５５５６号公報
【発明の開示】
【発明が解決しようとする課題】
【０００５】
しかしながら、上記従来技術にあっては、廃棄物の分別状態（廃棄物の分別がただしくおこなわれているか）に関する情報までは管理していない。そのため、たとえ排出物の分別がただしくおこなわれずに不正に排出された場合であっても、不正に排出された廃棄物の排出者を特定したうえで排出者に注意をうながすことが困難であった。その結果、廃棄物の不正な排出があとをたたず、廃棄物の排出の適正化を図ることができないといった問題が生じていた。
【０００６】
また、上記従来技術にあっては、廃棄物が収集されるとともにＩＤタグが回収されてしまう。そのため、収集された廃棄物から回収したＩＤタグをふたたび排出者に配布するか、または新たなＩＤタグを排出者に配布する必要がある。その結果、ＩＤタグの利用に伴うコスト（たとえば回収費用、購入費用、管理費用、配布費用など）が増加するといった問題が生じていた。
【０００７】
この発明は、上述した従来技術による問題点を解消するため、より簡単な作業により廃棄物の分別状態に関する情報の収集・管理を効率的かつ確実におこなうことができ、廃棄物の排出の適正化を図ることが可能な廃棄物収集管理装置、廃棄物収集管理方法、および廃棄物収集管理プログラムを提供することを目的とする。
【課題を解決するための手段】
【０００８】
上述した課題を解決し、目的を達成するため、この発明にかかる廃棄物収集管理装置は、所定の排出者によって排出され、廃棄物収集作業員によって廃棄物収集車両に収集される廃棄物の分別状態に関する情報を管理する廃棄物収集管理装置であって、前記廃棄物が収集されるときに、前記廃棄物を格納する廃棄物容器に設けられたＲＦＩＤ（Ｒａｄｉｏ  Ｆｒｅｑｕｅｎｃｙ  ＩＤ）タグに記録された情報であって、前記排出者を特定する情報を含む廃棄物に関する情報を取得する廃棄物情報取得手段と、前記廃棄物が収集されるときに、当該廃棄物に対する、前記廃棄物の分別状態に関する情報の入力を受け付ける廃棄物分別情報入力手段と、前記廃棄物分別情報入力手段によって入力された前記廃棄物の分別状態に関する情報を、前記廃棄物に関する情報に関連付けして所定の記録媒体に記録する廃棄物分別情報記録手段と、を備えたことを特徴とする。
【０００９】
また、この発明にかかる廃棄物収集管理装置は、上記に記載の発明において、前記廃棄物情報取得手段は、前記廃棄物収集車両の所定の位置であって、前記廃棄物が収集されるときに前記廃棄物に関する情報を取得することが可能な位置に設けられたことを特徴とする。
【００１０】
また、この発明にかかる廃棄物収集管理装置は、上記に記載の発明において、前記所定の記録媒体は、前記廃棄物容器に設けられたＲＦＩＤタグであり、前記廃棄物分別情報記録手段は、当該ＲＦＩＤタグに前記廃棄物の分別状態に関する情報を記録することを特徴とする。
【００１１】
また、この発明にかかる廃棄物収集管理装置は、上記に記載の発明において、前記所定の記録媒体に記録された前記廃棄物の分別状態に関する情報に基づいて、前記排出者によって排出された廃棄物の収集に関する措置を判断する判断手段をさらに備えたことを特徴とする。
【００１２】
また、この発明にかかる廃棄物収集管理装置は、上記に記載の発明において、前記判断手段によって判断された結果に関する情報を所定の情報端末へ送信する送信手段をさらに備えたことを特徴とする。
【００１３】
また、この発明にかかる廃棄物収集管理装置は、上記に記載の発明において、前記判断手段によって判断された結果に関する情報を出力する出力手段をさらに備えたことを特徴とする。
【００１４】
また、この発明にかかる廃棄物収集管理装置は、上記に記載の発明において、前記出力手段は、前記廃棄物収集車両に設けられた情報端末または前記廃棄物収集作業員によって携帯される情報端末が備え、前記情報を出力することを特徴とする。
【００１５】
また、この発明にかかる廃棄物収集管理方法は、所定の排出者によって排出され、廃棄物収集作業員によって廃棄物収集車両に収集される廃棄物の分別状態に関する情報を管理する廃棄物収集管理方法であって、前記廃棄物が収集されるときに、前記廃棄物を格納する廃棄物容器に設けられたＲＦＩＤ（Ｒａｄｉｏ  Ｆｒｅｑｕｅｎｃｙ  ＩＤ）タグに記録された情報であって、前記排出者を特定する情報を含む廃棄物に関する情報を取得する廃棄物情報取得工程と、前記廃棄物が収集されるときに、当該廃棄物に対する、前記廃棄物の分別状態に関する情報の入力を受け付ける廃棄物分別情報入力工程と、前記廃棄物分別情報入力工程によって入力された前記廃棄物の分別状態に関する情報を、前記廃棄物に関する情報に関連付けして所定の記録媒体に記録する廃棄物分別情報記録工程と、を含んだことを特徴とする。
【００１６】
また、この発明にかかる廃棄物収集管理プログラムは、上記に記載の廃棄物収集管理方法をコンピュータに実行させることを特徴とする。
【発明の効果】
【００１７】
本発明によれば、より簡単な作業により廃棄物の分別状態に関する情報の収集・管理を効率的かつ確実におこなうことができ、廃棄物の排出の適正化を図ることが可能な廃棄物収集管理装置、廃棄物収集管理方法、および廃棄物収集管理プログラムが得られるという効果を奏する。
【発明を実施するための最良の形態】
【００１８】
以下に添付図面を参照して、この発明にかかる廃棄物収集管理装置、廃棄物収集管理方法、および廃棄物収集管理プログラムの好適な実施の形態を詳細に説明する。
【００１９】
（廃棄物収集管理処理の概要）
まず、この発明の実施の形態にかかる廃棄物収集管理装置、廃棄物収集管理方法、および廃棄物収集管理プログラムの概要について説明する。図１は、この発明の本実施の形態にかかる廃棄物収集管理装置、廃棄物収集管理方法、および廃棄物収集管理プログラムの概要を示す説明図である。
【００２０】
図１において、（１）まず排出者１４０によって、ＲＦＩＤタグ１５３が貼付され廃棄物１５２が格納された廃棄物容器１５１が廃棄物収集場１１２（たとえば戸別の玄関先や、共同の廃棄物収集場所など）に廃棄される。廃棄物容器１５１は、自治体１１０によって廃棄物１５２の種別ごとに指定されている。排出者１４０は、廃棄物１５２の種別ごとに廃棄物１５２を分別して、指定された廃棄物容器１５１に廃棄物１５２を格納したうえで、廃棄物容器１５１を廃棄物収集場１１２に廃棄するように義務付けられている。
【００２１】
（２）つぎに、廃棄物１５２を収集するために廃棄物収集車１３０で各廃棄物収集場１１２を周回する自治体１１０の作業員１１１によって、廃棄物収集場１１２に廃棄された廃棄物容器１５１が、廃棄物収集車１３０の廃棄物投入口付近に載置される。
【００２２】
（３）つぎに、廃棄物収集車１３０の廃棄物投入口付近に設けられたＲ／Ｗ（ＲＦＩＤタグリーダ／ライタ）１２３によって、廃棄物容器１５１に貼付されているＲＦＩＤタグ１５３から廃棄物に関する情報（たとえば廃棄物容器１５１のＩＤ、排出者１４０の氏名、廃棄物１５２の種別など。以下、「廃棄物情報」という）が読み取られる。（４）つぎに、ＲＦＩＤタグ１５３から読み取られた廃棄物情報が自治体１１０が保有するサーバ１２１に送信される。
【００２３】
（５）つぎに、作業員１１１によって、廃棄物容器１５１に格納された廃棄物１５２の分別状態が判定される。作業員１１１は判定した廃棄物１５２の分別状態に関する情報（以下、「廃棄物分別情報」という）を端末１２２に入力する。（６）つぎに、端末１２２に入力された廃棄物分別情報が自治体１１０が保有するサーバ１２１に送信される。この廃棄物分別情報は、廃棄物情報と関連付けられて、たとえば自治体１１０が保有するデータベースなどに格納される。
【００２４】
（７）自治体１１０は、所定の排出者１４０によって排出された廃棄物１５２の分別が繰り返しただしくおこなわれていなかった場合に、排出者１４０が保有する情報端末１６０（たとえば携帯電話など）に対して廃棄物１５２の収集を制限すること（たとえば、所定の期間廃棄物を収集しない、所定の反則金を支払うまで廃棄物を収集しない、など）を通知する。（８）また、自治体１１０は、廃棄物１５２の分別が繰り返しただしくおこなわれてなかった場合に、作業員１１１に対して排出者１４０によって廃棄された廃棄物１５２を収集しないように指示する。
【００２５】
（全体システムの構成）
つぎに、この発明の実施の形態にかかる廃棄物収集管理装置を含む全体システムの構成について説明する。図２は、この発明の本実施の形態にかかる廃棄物収集管理装置を含む全体システムの構成を示す説明図である。
【００２６】
図２において、廃棄物収集管理システム２００は、自治体１１０が保有する廃棄物収集管理装置１２０および廃棄物収集車１３０と、排出者１４０が保有する廃棄物１５０および情報端末１６０と、によって構成されており、それぞれがネットワーク２０１によって接続されている。
【００２７】
廃棄物収集管理装置１２０は、サーバ１２１と、端末１２２と、Ｒ／Ｗ１２３と、によって構成されている。サーバ１２１は、端末１２２およびＲ／Ｗ１２３を含めた廃棄物収集管理システム１２０全体の制御を司る。サーバ１２１は、Ｒ／Ｗ１２３からネットワーク２０１を介して送信された廃棄物情報を受信する。また、サーバ１２１は、端末１２２からネットワーク２０１を介して送信された廃棄物分別情報を受信する。
【００２８】
またサーバ１２１は廃棄物分別情報の履歴情報を記憶する。またサーバ１２１は、廃棄物分別情報の履歴情報に基づいて廃棄物１５０の収集を制限するか否かを判断して、廃棄物１５０の収集を制限すると判断した場合は、廃棄物１５０の収集の制限に関するテキスト、画像、音声などの情報（以下、「収集制限情報」という）をネットワーク２０１を介して端末１２２および情報端末１６０へ送信する。
【００２９】
端末１２２は、可搬性を有する携帯端末であり、廃棄物収集時に作業員１１１によって携帯される。また端末１２２は、作業員１１１による廃棄物分別情報の入力を受け付ける。また端末１２２は、作業員１１１によって入力された廃棄物分別情報をネットワーク２０１を介してサーバ１２１へ送信する。
【００３０】
また、端末１２２は、サーバ１２１からネットワーク２０１を介して送信された収集制限情報を受信して、受信した収集制限情報を出力（たとえば画面表示、音声出力など）する。なお、端末１２２は、廃棄物収集時に作業員１１１によって携帯されるものに限らず、たとえば廃棄物収集車１３０の投入口付近に備え付けられていてもよい。
【００３１】
Ｒ／Ｗ１２３は、廃棄物収集車１３０の廃棄物投入口付近に設けられ、廃棄物収集車１３０の廃棄物投入口付近に載置された廃棄物容器１５１に貼付されているＲＦＩＤタグ１５３から、廃棄物情報（たとえば廃棄物容器１５１のＩＤ、排出者１４０の氏名、廃棄物１５２の種別など）を読み取る。またＲ／Ｗ１２３は、ＲＦＩＤタグ１５３から読み取った廃棄物情報をネットワーク２０１を介してサーバ１２１へ送信する。またＲ／Ｗ１２３は、ＲＦＩＤタグ１５３に対して情報を書き込むこともできる。
【００３２】
ここで、Ｒ／Ｗ１２３は、通信距離が約数ｃｍから２ｍであり、無線周波数はたとえば、１３．５６ＭＨｚ（電磁誘導方式）と２．４５ＧＨｚ（マイクロ波方式）である。電磁誘導方式は、Ｒ／Ｗ１２３のコイルに電流を流して発生させた磁界で、無線ＩＣタグが持つコイル状のアンテナに電流を発生させ、ＩＣチップを動かす。マイクロ波方式は、Ｒ／Ｗ１２３のアンテナから発生させた電波を無線ＩＣタグのアンテナで受け取るようにする。
【００３３】
廃棄物１５０は、廃棄物容器１５１と、廃棄物１５２と、ＲＦＩＤタグ１５３と、によって構成されている。
【００３４】
廃棄物容器１５１は、自治体１１０によって廃棄物１５２の種類（たとえば、可燃廃棄物、不燃廃棄物など）ごとに指定され、排出者１４０によって保有される。廃棄物容器１５１には、自治体１１０によってあらかじめ廃棄物情報（たとえば廃棄物容器１５１のＩＤ、排出者１４０の氏名、廃棄物１５２の種別など）が記録されたＲＦＩＤタグ１５３が貼付されている。
【００３５】
廃棄物容器１５１には、排出者１４０によって廃棄物容器１５１に対応する種類（たとえば、可燃廃棄物、不燃廃棄物など）の廃棄物１５２が格納され、廃棄物収集場１１２に廃棄される。廃棄物収集場１１２に廃棄された廃棄物容器１５１は、廃棄物容器１５１に格納されている廃棄物１５２が作業員１１１の収集作業によって廃棄物収集車１３０に収容された後に排出者１４０に返却される。
【００３６】
廃棄物１５２は、たとえば家庭や事業所から排出された廃棄物であり、可燃廃棄物、不燃廃棄物、カン、ビン、ペットボトルなどの種類が挙げられる。これらの廃棄物１５２は、排出者１４０によって廃棄物の種類ごとに分別され、廃棄物の種類ごとに指定された廃棄物容器１５１に格納され、廃棄物容器１５１とともに廃棄物収集場１１２に廃棄される。
【００３７】
ＲＦＩＤタグ１５３は、自治体１１０によって廃棄物情報（たとえば廃棄物容器１５１のＩＤ、排出者１４０の氏名、廃棄物１５２の種別など）があらかじめ記録されており、廃棄物容器１５１に貼付される。ＲＦＩＤタグ１５３に記録された廃棄物情報は、廃棄物収集車１３０の廃棄物投入口付近に設けられたＲ／Ｗ１２３によって読み取られ、ネットワーク２０１を介してサーバ１２１へ送信される。
【００３８】
ここで、ＲＦＩＤタグ１５３は、たとえば情報を記録する小型のＩＣチップと金属製のアンテナで構成する。ＩＣチップ、はたとえば０．１ミリ〜数ミリ角の大きさである。またＩＣチップは、１０数バイト〜数キロバイトのメモリとロジック回路を備えており、無線通信によってデータの読み取りや書き込みをすることができる。またＩＣチップは、ロジック回路によって、演算、認証、暗号化などの処理をおこなうこともできる。ＲＦＩＤタグ１５３は、電池を内蔵していているものであっても、電池を内蔵していないものであってもよく、電池を内蔵していているものであれば、ＲＦＩＤタグ１５３から能動的に情報を発信することができる。またＲＦＩＤタグ１５３には、このＲＦＩＤタグ１５３が貼付される廃棄物１５０を特定するための固有のＩＤを付与することができる。
【００３９】
情報端末１６０は、排出者１４０が保有する端末装置（たとえばネットワーク２０１と接続された携帯電話や、ネットワーク２０１と接続されたパーソナル・コンピュータなど）であり、廃棄物収集管理装置１２０からネットワーク２０１を介して送信された収集制限情報を受信して、受信した収集制限情報の出力（たとえば画面表示、音声出力など）をおこなう。
【００４０】
（廃棄物収集管理装置１２０のハードウェア構成）
つぎに、本実施の形態にかかる廃棄物収集管理方法を実現する廃棄物収集管理装置１２０のハードウェア構成について説明する。図３は、廃棄物収集管理装置１２０のハードウェア構成の一例を示すブロック図である。
【００４１】
図３において、廃棄物収集管理装置１２０は、ＣＰＵ（Ｃｅｎｔｒａｌ  Ｐｒｏｃｅｓｓｉｎｇ  Ｕｎｉｔ）３０１と、ＲＯＭ（Ｒｅａｄ  Ｏｎｌｙ  Ｍｅｍｏｒｙ）３０２と、ＲＡＭ（Ｒａｎｄｏｍ  Ａｃｃｅｓｓ  Ｍｅｍｏｒｙ）３０３と、ＨＤＤ（Ｈａｒｄ  Ｄｉｓｃ  Ｄｒｉｖｅ）３０４と、ＨＤ（Ｈａｒｄ  Ｄｉｓｃ）３０５と、ＦＤＤ（Ｆｌｅｘｉｂｌｅ  Ｄｉｓｃ  Ｄｒｉｖｅ）３０６と、ＦＤ（Ｆｌｅｘｉｂｌｅ  Ｄｉｓｃ）３０７と、ディスプレイ３０８と、スピーカ３０９と、Ｉ／Ｆ（インタフェース）３１０と、操作ボタン３１１と、時計３１２と、プリンタ３１３と、Ｒ／Ｗ１２３と、を備えて構成されており、上記各構成部はバス３２０によってそれぞれ接続されている。
【００４２】
ＣＰＵ３０１は、廃棄物収集管理装置１２０の全体の制御を司る。ＲＯＭ３０２は、各種制御プログラムなどを格納する。ＲＡＭ３０３は、ＣＰＵ３０１のワークエリアとして使用される。ＨＤＤ３０４はＣＰＵ３０１の制御命令に従って、ＨＤ３０５に対するデータの読み取り／書き込みを制御する。ＨＤ３０５は、ＨＤＤ３０４の制御で書き込まれたデータを記憶する。ＦＤＤ３０６はＣＰＵ３０１の制御命令に従って、ＦＤ３０７に対するデータの読み取り／書き込みの制御をおこなう。
【００４３】
ＦＤ３０７は、ＦＤＤ３０６の制御で書き込まれたデータを記憶する着脱可能な記録媒体である。着脱可能な記録媒体として、ＦＤ３０７のほか、ＣＤ−ＲＯＭ（ＣＤ−Ｒ、ＣＤ−ＲＷ）、ＭＯ、ＤＶＤ（Ｄｉｇｉｔａｌ  Ｖｅｒｓａｔｉｌｅ  Ｄｉｓｋ）、メモリカードなどであってもよい。
【００４４】
ディスプレイ３０８は、テキストデータ、画像データなどの各種情報を表示する。ディスプレイ３０８は、例えばＴＦＴ（Ｔｈｉｎ  Ｆｉｌｍ  Ｔｒａｎｓｉｓｔｏｒ）液晶ディスプレイのほか、ＣＲＴ（Ｃａｔｈｏｄｅ  Ｒａｙ  Ｔｕｂｅ）やプラズマディスプレイなどであってもよい。スピーカ３０９は、音声を出力する。
【００４５】
Ｉ／Ｆ３１０は、通信回線を通じてネットワーク２０１に接続され、ネットワーク２０１を介して、他の情報処理装置、各種データベースなどに接続される。そして、Ｉ／Ｆ３１０は、ネットワーク２１０と装置内部とのインタフェースを司り、他の情報処理装置、各種データベースなどとのデータの入出力を制御する。Ｉ／Ｆ３１０は、たとえばモデムやＬＡＮアダプタなどである。またＩ／Ｆ３１０は、ＵＳＢなどの外部入出力としても用いることができる。
【００４６】
操作ボタン３１１は、各種データの送受信、入力、設定などに用いる。時計３１２は、現在時刻を計時して、廃棄物の収集がおこなわれた時刻を出力する。プリンタ３１３は、廃棄処理管理情報やその他の情報を印刷する。プリンタ３１３は、例えば、レーザプリンタやインクジェットプリンタなどである。
【００４７】
（廃棄物収集管理装置１２０の機能的構成）
つぎに、本実施の形態にかかる廃棄物収集管理装置１２０の機能的構成について説明する。図４は、この発明の本実施の形態にかかる廃棄物収集管理装置１２０の機能的構成の一例を示すブロック図である。
【００４８】
図４において、廃棄物収集管理装置１２０は、廃棄物分別情報入力部４０１と、廃棄物情報取得部４０２と、廃棄物分別情報記録部４０３と、収集制限判断部４０４と、収集制限情報出力部４０５と、収集制限情報送信部４０６と、収集制限実施情報更新部４０７と、廃棄物分別情報管理ＤＢ４１０と、収集制限実施情報管理ＤＢ４２０とによって構成されている。
【００４９】
図４において、廃棄物分別情報入力部４０１は、作業員１１１による廃棄物分別情報の入力を受け付け、作業員１１１によって入力された廃棄物分別情報を取得する。廃棄物分別情報入力部４０１は、具体的には、たとえば図３に示した操作ボタン３１１によってその機能を実現する。
【００５０】
廃棄物情報取得部４０２は、廃棄物容器１５１に貼付されたＲＦＩＤタグ１５３から廃棄物情報（たとえば廃棄物容器１５１のＩＤ、排出者１４０の氏名、廃棄物１５２の種別など）を取得する。廃棄物情報取得部４０２は、具体的には、たとえば図３に示したＲ／Ｗ１２３によってその機能を実現する。
【００５１】
廃棄物分別情報記録部４０３は、廃棄物分別情報記録データ（廃棄物分別情報入力部４０１によって取得された廃棄物分別情報と、廃棄物情報取得部４０２によって取得された廃棄物情報とを関連付けすることによって生成されたデータ）を、廃棄物分別情報管理ＤＢ４１０に記録する。廃棄物分別情報記録部４０３は、具体的には、たとえば図３に示したＲＯＭ３０２、ＲＡＭ３０３、ＨＤ３０５、ＦＤ３０７に格納されたプログラムをＣＰＵ３０１が実行することによってその機能を実現する。
【００５２】
収集制限判断部４０４は、廃棄物分別情報管理ＤＢ４１０に格納されている廃棄物分別情報記録データに基づいて、排出者１４０に対する警告をおこなうか否かを判断する。たとえば収集制限判断部４０４は、所定の期間内（たとえば過去１ヶ月以内）において廃棄物１５２の分別がただしくおこなわれなかった回数が１回であると廃棄物分別情報記録データに示されていた場合にのみ、排出者１４０に対する警告をおこなうと判断する。
【００５３】
また、たとえば収集制限判断部４０４は、廃棄物分別情報管理ＤＢ４１０に格納されている廃棄物分別情報記録データに基づいて、廃棄物１５２の収集を制限するか否かを判断する。たとえば収集制限判断部４０４は、所定の期間内において廃棄物１５２の分別がただしくおこなわれなかった回数が２回以上であると廃棄物分別情報記録データに示されていた場合にのみ、排出者１４０に対して所定の期間ごみの収集をおこなわない旨の制限をすると判断する。このような判断基準および判断結果は、たとえば図３に示したＲＯＭ３０２、ＲＡＭ３０３、ＨＤ３０５、ＦＤ３０７に格納された廃棄物収集管理プログラムにあらかじめ組み込まれている。
【００５４】
また、収集制限判断部４０４は、収集制限実施情報管理ＤＢ４２０に格納されている廃棄物１５２の収集が制限されているか否かの情報（以下、「収集制限実施情報」という）に基づいて、すでに廃棄物１５２の収集が制限されているか否かを判断する。収集制限判断部４０４は、具体的には、たとえば図３に示したＲＯＭ３０２、ＲＡＭ３０３、ＨＤ３０５、ＦＤ３０７に格納されたプログラムをＣＰＵ３０１が実行することによってその機能を実現する。
【００５５】
収集制限情報出力部４０５は、収集制限情報を出力する。たとえば収集制限情報出力部４０５は、収集制限判断部４０４によって廃棄物１５２の収集が制限されていると判断された場合に、廃棄物１５２の収集をおこなわないように指示する内容の収集制限情報を出力する。また、たとえば収集制限情報出力部４０５は、収集制限判断部４０４によって廃棄物１５２の収集が制限されていないと判断された場合に、廃棄物１５２の収集をおこなわないように指示する内容の収集制限情報を出力する。収集制限情報出力部４０５は、具体的には、たとえば図３に示したディスプレイ３０８およびスピーカ３０９によってその機能を実現する。
【００５６】
収集制限情報送信部４０６は、収集制限情報を送信する。たとえば収集制限情報送信部４０６は、収集制限判断部４０４によって廃棄物１５２の収集を制限すると判断された場合に、廃棄物１５２の収集を制限することを示す収集制限情報を排出者１４０が保有する情報端末１６０に対して送信する。また収集制限情報送信部４０６は、収集制限判断部４０４によって排出者１４０に対する警告をおこなうと判断された場合に、排出者１４０に対する警告をおこなうことを示す収集制限情報を排出者１４０が保有する情報端末１６０に対して送信する。収集制限情報送信部４０６は、具体的には、たとえば図３に示したＩ／Ｆ３１０によってその機能を実現する。
【００５７】
収集制限実施情報更新部４０７は、収集制限実施情報管理ＤＢ４２０に格納されている収集制限実施情報を更新する。収集制限実施情報更新部４０７は、具体的には、たとえば図３に示したＲＯＭ３０２、ＲＡＭ３０３、ＨＤ３０５、ＦＤ３０７に格納されたプログラムをＣＰＵ３０１が実行することによってその機能を実現する。
【００５８】
廃棄物分別情報管理ＤＢ４１０は、廃棄物分別情報記録データを格納する。また、廃棄物分別情報管理ＤＢ４１０に格納されている廃棄物分別情報記録データは、廃棄物分別情報記録部４０３によって記録される。また、廃棄物分別情報管理ＤＢ４１０に格納されている廃棄物分別情報記録データは、収集制限判断部４０４によって読み取られ、廃棄物１５２の収集を制限するか否かの判断や、排出者１４０に対する警告をおこなうか否かの判断に利用される。
【００５９】
廃棄物分別情報管理ＤＢ４１０は、具体的には、たとえば図３に示したＲＯＭ３０２、ＲＡＭ３０３、ＨＤ３０５、ＦＤ３０７によってその機能を実現する。なお、廃棄物分別情報管理ＤＢ４１０に格納されている廃棄物分別情報記録データのデータ構成の一例については、図５−１を用いて後述する。
【００６０】
収集制限実施情報管理ＤＢ４２０は、排出者１４０ごとに、収集制限実施情報を格納する。収集制限実施情報管理ＤＢ４２０に格納されている収集制限実施情報は、収集制限判断部４０４によって読み取られ、すでに廃棄物１５２の収集が制限されているか否かの判断に利用される。また収集制限実施情報管理ＤＢ４２０に格納されている収集制限実施情報は、収集制限実施情報更新部４０７によって更新される。
【００６１】
収集制限実施情報管理ＤＢ４２０は、具体的には、たとえば図３に示したＲＯＭ３０２、ＲＡＭ３０３、ＨＤ３０５、ＦＤ３０７によってその機能を実現する。なお、収集制限実施情報管理ＤＢ４２０に格納されている収集制限実施情報のデータ構成の一例については、図５−２を用いて後述する。
【００６２】
（廃棄物分別情報記録データのデータ構成）
つぎに、廃棄物分別情報管理ＤＢ４１０に格納されている廃棄物分別情報記録データのデータ構成について説明する。図５−１は、本実施の形態にかかる廃棄物収集管理装置１２０の廃棄物分別情報管理ＤＢ４１０に格納されている廃棄物分別情報記録データのデータ構成の一例を示す説明図である。
【００６３】
図５−１において、廃棄物分別情報記録データは、「排出者ＩＤ」と、「氏名」と、「メールアドレス」と、「収集日」と、「収集時間」と、「収集場所」と、「廃棄物容器ＩＤ」と、「種別」と、「廃棄物分別」と、によって構成されている。
【００６４】
廃棄物分別情報記録データのうち「排出者ＩＤ」、「氏名」、「メールアドレス」、「収集日」、「収集時間」、「収集場所」、「廃棄物容器ＩＤ」、「種別」には廃棄物容器１５１に貼付されたＲＦＩＤタグ１５３から読み取った廃棄物情報に基づいて値が設定される。また、廃棄物分別情報記録データのうち「廃棄物分別」は、廃棄物収集時に作業員１１１によって入力された廃棄物分別情報に基づいて値が設定される。
【００６５】
「排出者ＩＤ」には排出者１４０を特定するためのＩＤが設定される。また「氏名」には、排出者１４０の氏名が設定される。また「メールアドレス」には、たとえば排出者１４０に対して電子メールを利用した収集制限情報の送信をおこなう場合の送信先メールアドレスが設定される。また「収集日」、「収集時間」には、廃棄物１５２を収集したときの収集日時（たとえば作業員１１１によって廃棄物分別情報が端末１２２に入力された時刻）が設定される。
【００６６】
また「収集場所」には、収集された廃棄物１５２の収集場所が設定される。また「廃棄物容器ＩＤ」には廃棄物容器１５１を特定するためのＩＤが設定される。また「種別」には収集された廃棄物１５２の種別が設定される。また「廃棄物分別」には、廃棄物１５２が収集されたときの廃棄物分別情報が設定される。
【００６７】
このように、廃棄物分別情報管理ＤＢ４１０に格納された廃棄物分別情報記録データは、たとえば図７を用いて後述する廃棄物収集管理処理において、廃棄物収集管理装置１２０によって抽出され、廃棄物１５２の収集を制限するか否かの判断や、排出者１４０に対する警告をおこなうか否かの判断に利用される。
【００６８】
（収集制限実施情報のデータ構成）
つぎに、収集制限実施情報管理ＤＢ４２０に格納されている収集制限実施情報のデータ構成について説明する。図５−２は、本実施の形態にかかる廃棄物収集管理装置１２０の収集制限実施情報管理ＤＢ４２０に格納されている収集制限実施情報のデータ構成の一例を示す説明図である。
【００６９】
図５−２において、収集制限実施情報は、「排出者ＩＤ」と、「氏名」と、「制限」と、「制限開始日」と、「制限終了日」とによって構成されている。廃棄物分別情報記録データのうち「排出者ＩＤ」および「氏名」のみあらかじめ自治体１１０によって値が設定される。
【００７０】
「排出者ＩＤ」には排出者１４０を特定するためのＩＤが設定される。また「氏名」には、排出者１４０の氏名が設定される。また「制限」には、廃棄物１５２の収集が制限されている場合にのみ、廃棄物１５２の収集が制限されていることを示す値「制限中」が設定される。また「制限開始日」には、廃棄物１５２の収集が制限されている場合にのみ、廃棄物１５２の収集の制限が開始された日付が設定される。また「制限終了日」には、廃棄物１５２の収集が制限されている場合にのみ、廃棄物１５２の収集の制限が終了する日付が設定される。
【００７１】
このように、収集制限実施情報管理ＤＢ４２０に格納された収集制限実施情報は、たとえば図７を用いて後述する廃棄物収集管理処理において、廃棄物収集管理装置１２０によって抽出され、排出者１４０によって廃棄された廃棄物１５２に対してすでに廃棄物１５２の収集が制限されているか否かの判断などに利用される。
【００７２】
（廃棄物情報のデータ構成）
つぎに、ＲＦＩＤタグ１５３に記録されており、廃棄物情報取得部４０２によって取得される廃棄物情報のデータ構成について説明する。図６は、廃棄物容器１５１に貼付されたＲＦＩＤタグ１５３に記録されている廃棄物情報のデータ構成の一例を示す説明図である。
【００７３】
図６において、廃棄物情報は、「排出者ＩＤ」と、「氏名」と、「メールアドレス」と、「収集場所」と、「廃棄物容器ＩＤ」と、「種別」とによって構成されている。これらの廃棄物情報は、あらかじめ自治体１１０によってＲＦＩＤタグ１５３に記録される。「排出者ＩＤ」には排出者１４０を特定するためのＩＤが設定される。
【００７４】
また「氏名」には、排出者１４０の氏名が設定される。また「メールアドレス」には、たとえば排出者１４０に対して電子メールによる収集制限情報の送信をおこなう場合の送信先メールアドレスが設定される。また「収集場所」には、廃棄物１５２が収集されるときの収集場所が設定される。また「廃棄物容器ＩＤ」には廃棄物容器１５１を特定するためのＩＤが設定される。また「種別」には廃棄物１５２が収集されるときの廃棄物１５２の種別が設定される。
【００７５】
このように、廃棄物容器１５１に貼付されたＲＦＩＤタグ１５３に記録された廃棄物情報は、たとえば図７を用いて後述する廃棄物収集管理処理において、廃棄物収集管理装置１２０によって読み取られ、廃棄物容器１５１に格納されている廃棄物１５２の排出者１４０や、廃棄物容器１５１に格納されている廃棄物１５２の種別などを特定するために利用される。
【００７６】
（廃棄物収集管理装置１２０による廃棄物収集管理処理の手順）
つぎに、廃棄物収集管理装置１２０による廃棄物収集管理処理の手順について説明する。図７は、この発明の本実施の形態にかかる廃棄物収集管理装置１２０による廃棄物収集管理処理の手順を示すフローチャートである。
【００７７】
まず、廃棄物情報取得部４０２によって、廃棄物容器１５１に貼付されたＲＦＩＤタグ１５３から廃棄物情報（たとえば廃棄物容器１５１のＩＤ、排出者１４０の氏名、廃棄物１５２の種別など）を取得する（ステップＳ７０１）。ここで廃棄物情報取得部４０２は、Ｒ／Ｗ１２３により廃棄物容器１５１に貼付されているＲＦＩＤタグ１５３を読み取ることによって廃棄物情報を取得することができる。なお、Ｒ／Ｗ１２３によるＲＦＩＤタグ１５３の読み取り作業を含む廃棄物１５２の収集作業の一例については図８を用いて後述する。
【００７８】
つぎに、収集制限判断部４０４によって、収集制限実施情報管理ＤＢ４２０に格納されている収集制限実施情報に基づいて、排出者１４０によって廃棄された廃棄物１５２に対して、すでに廃棄物１５２の収集が制限されているか否かを判断する（ステップＳ７０２）。
【００７９】
ステップＳ７０２において、すでに廃棄物１５２の収集が制限されていると判断した場合（ステップＳ７０２：Ｙｅｓ）は、ステップＳ７０３へ進む。一方、ステップＳ７０２において、廃棄物１５２の収集が制限されていないと判断した場合（ステップＳ７０２：Ｎｏ）は、ステップＳ７０３〜ステップＳ７０４を飛ばして、ステップＳ７０５へ進む。
【００８０】
つぎに、収集制限実施情報更新部４０７によって、収集制限実施情報管理ＤＢ４２０に格納されている収集制限実施情報と、廃棄物収集管理装置１２０に備えられた時計３１２によって出力された現在時刻とに基づいて、廃棄物１５２の収集の制限終了日が過ぎているか否かを判断する（ステップＳ７０３）。
【００８１】
ステップＳ７０３において、廃棄物１５２の収集の制限終了日が過ぎていると判断した場合（ステップＳ７０３：Ｙｅｓ）は、収集制限実施情報更新部４０７によって、収集制限実施情報管理ＤＢ４２０に格納されている収集制限実施情報を、廃棄物１５２の収集が制限されていないことが示されるように更新して（ステップＳ７０４）、ステップＳ７０５へ進む。
【００８２】
一方、ステップＳ７０３において、廃棄物１５２の収集の制限終了日が過ぎていないと判断した場合（ステップＳ７０３：Ｎｏ）は、収集制限情報出力部４０５によって、廃棄物１５２の収集をおこなわないように指示する収集制限情報を端末１２２から出力して（ステップＳ７１５）、一連の処理を終了する。なお端末１２２から出力された廃棄物１５２の収集をおこなわないように指示する収集制限情報の一例については図１４を用いて後述する。
【００８３】
つぎに、収集制限情報出力部４０５によって、ステップＳ７０１で取得した廃棄物情報を端末１２２（ディスプレイ３０８）の画面上に出力する（ステップＳ７０５）。つぎに、廃棄物分別情報入力部４０１によって、廃棄物分別情報を取得する（ステップＳ７０６）。ここで廃棄物分別情報入力部４０１は、たとえば作業員１１１により廃棄物分別情報が端末１２２に入力されることによって、廃棄物分別情報を取得することができる。なお、作業員１１１による廃棄物分別情報の入力操作を含む廃棄物１５２の収集作業の一例については図９を用いて後述する。
【００８４】
つぎに、廃棄物分別情報記録部４０３によって、廃棄物分別情報記録データを廃棄物分別情報管理ＤＢ４１０に記録する（ステップＳ７０７）。ここで、廃棄物分別情報記録データは、廃棄物分別情報記録部４０３によって、ステップＳ７０６で取得された廃棄物分別情報と、ステップＳ７０１で取得された廃棄物情報とを関連付けすることによって生成されたデータである。なお、廃棄物分別情報管理ＤＢ４１０に記録される廃棄物分別情報記録データの一例については図１０を用いて後述する。
【００８５】
つぎに、収集制限判断部４０４によって、廃棄物分別情報記録データを廃棄物分別情報管理ＤＢ４１０から抽出する（ステップＳ７０８）。なお、廃棄物分別情報管理ＤＢ４１０から抽出された廃棄物分別情報記録データの一例については図１１−１を用いて後述する。
【００８６】
つぎに、収集制限判断部４０４によって、ステップＳ７０８で抽出された廃棄物分別情報記録データに基づいて、廃棄物１５２の収集を制限するか否かを判断する（ステップＳ７０９）。ここで、収集制限判断部４０４は、所定の期間内において廃棄物１５２の分別がただしくおこなわれなかった回数が２回以上であると廃棄物分別情報記録データに示されている場合にのみ、排出者１４０に対して所定の期間ごみの収集をおこなわない旨の制限をすると判断する。
【００８７】
ステップＳ７０９において、廃棄物１５２の収集を制限すると判断された場合（ステップＳ７０９：Ｙｅｓ）は、収集制限実施情報更新部４０７によって、収集制限実施情報管理ＤＢ４２０に格納されている収集制限実施情報を、廃棄物１５２の収集が制限されていることが示されるように更新する（ステップＳ７１０）。なお収集制限実施情報が更新された後の収集制限実施情報管理ＤＢ４２０に格納されている収集制限実施情報の一例については図１１−２を用いて後述する。
【００８８】
そして、収集制限情報出力部４０５によって、廃棄物１５２の収集を制限することを示す収集制限情報を排出者１４０が保有する情報端末１６０に対して送信して（ステップＳ７１１）、ステップＳ７１４へ進む。なお、排出者１４０が保有する情報端末１６０の画面上に出力された廃棄物１５２の収集を制限することを示す収集制限情報の一例については図１３を用いて後述する。
【００８９】
一方、ステップＳ７０９において、廃棄物１５２の収集を制限しないと判断された場合（ステップＳ７０９：Ｎｏ）は、ステップＳ７１０およびステップＳ７１１を飛ばして、ステップＳ７１２へ進む。
【００９０】
つぎに、収集制限判断部４０４によって、ステップＳ７０８で抽出された廃棄物分別情報記録データに基づいて、排出者１４０に対する警告をおこなうか否かを判断する（ステップＳ７１２）。ここで、たとえば収集制限判断部４０４は、所定の期間内（たとえば過去１ヶ月以内）において廃棄物１５２の分別がただしくおこなわれなかった回数が１回であると廃棄物分別情報記録データに示されている場合にのみ、排出者１４０に対する警告をおこなうと判断する。
【００９１】
ステップＳ７１２において、排出者１４０に対する警告をおこなうと判断された場合（ステップＳ７１２：Ｙｅｓ）は、収集制限情報出力部４０５によって、排出者１４０に対して警告することを示す収集制限情報を排出者１４０が保有する情報端末１６０に対して送信して（ステップＳ７１３）、ステップＳ７１４へ進む。
【００９２】
一方、ステップＳ７１２において、排出者１４０に対する警告をおこなわないと判断された場合（ステップＳ７１２：Ｎｏ）は、ステップＳ７１３を飛ばして、ステップＳ７１４へ進む。なお、排出者１４０が保有する情報端末１６０の画面上に出力された排出者１４０に対して警告することを示す収集制限情報の一例については図１２を用いて後述する。
【００９３】
つぎに、収集制限情報出力部４０５によって、廃棄物１５２の収集をおこなうように指示する収集制限情報を端末１２２から出力して（ステップＳ７１４）、一連の処理を終了する。
【００９４】
（ＲＦＩＤタグ１５３の読み取り作業を含む廃棄物１５２の収集作業の一例）
つぎに、Ｒ／Ｗ１２３によるＲＦＩＤタグ１５３の読み取り作業を含む廃棄物１５２の収集作業の一例について説明する。図８は、Ｒ／Ｗ１２３によるＲＦＩＤタグ１５３の読み取り作業を含む廃棄物１５２の収集作業の一例を示す説明図である。
【００９５】
図８において、作業員１１１によって、廃棄物収集場１１２に廃棄された廃棄物容器１５１が廃棄物収集車１３０の廃棄物投入口付近に載置される。廃棄物収集車１３０の廃棄物投入口付近に載置された廃棄物容器１５１の上方向には、Ｒ／Ｗ１２３が設けられている。
【００９６】
ここで、Ｒ／Ｗ１２３は常にＲＦＩＤタグ１５３を検出するように待機しており、上述したように廃棄物容器１５１が廃棄物収集車１３０の廃棄物投入口付近（すなわち、Ｒ／Ｗ１２３によるＲＦＩＤタグ１５３の読み取り範囲内）に載置されたことにより、Ｒ／Ｗ１２３によってＲＦＩＤタグ１５３が検出され、廃棄物容器１５１の上面に貼付されたＲＦＩＤタグ１５３から廃棄物情報が読み取られる。
【００９７】
そして、Ｒ／Ｗ１２３によってＲＦＩＤタグ１５３から読み取られた廃棄物情報（たとえば廃棄物容器１５１のＩＤ、排出者１４０の氏名、廃棄物１５２の種別など）は、Ｒ／Ｗ１２３から、たとえば通信ケーブルや無線通信などによって接続されたネットワーク２０１を介してサーバ１２１に対して送信される。
【００９８】
このように、たとえば作業員１１１は、手間のかかる別の作業をおこなうことなく、廃棄物容器１５１を廃棄物収集車１３０の廃棄物投入口付近に載置するだけといった簡単な作業によって、廃棄物容器１５１に貼付されたＲＦＩＤタグ１５３に記録されている廃棄物情報をサーバ１２１に対して送信することができる。そのため、たとえば作業員１１１は、ＲＦＩＤタグ１５３の読み取り作業を含む廃棄物１５２の収集作業を効率的かつ確実におこなうことができる。
【００９９】
（廃棄物分別情報の入力操作を含む廃棄物１５２の収集作業の一例）
つぎに、作業員１１１による廃棄物分別情報の入力操作を含む廃棄物１５２の収集作業の一例について説明する。図９は、作業員１１１による廃棄物分別情報の入力操作を含む廃棄物１５２の収集作業の一例を示す説明図である。
【０１００】
図９において、画面９０１は作業員１１１が保有する端末１２２（ディスプレイ３０８）に表示された画面である。画面９０１には、Ｒ／Ｗ１２３によって廃棄物容器１５１に貼付されたＲＦＩＤタグ１５３から読み取られ、サーバ１２１から送信された廃棄物情報の一部が表示されている。また、個人情報を保護する目的により排出者１４０の氏名などの情報は表示されてない。
【０１０１】
ここで、端末１２２は作業員１１１による廃棄物分別情報の入力操作を待機しており、作業員１１１によって、操作ボタン３１１ａによって廃棄物１５２の分別状態（「良」または「不良」）が選択された後に、「ＯＫ」が表示された操作ボタン３１１ｂが押下されることによって廃棄物分別情報が入力される。そして、作業員１１１によって入力された廃棄物分別情報は、端末１２２から、たとえば通信ケーブルや無線通信などによって接続されたネットワーク２０１を介してサーバ１２１に対して送信される。
【０１０２】
このように、たとえば作業員１１１は、手間のかかる別の作業をおこなうことなく、端末１２２に備えられた操作ボタン３１１ａおよび操作ボタン３１１ｂを押下するだけといった簡単な作業によって、廃棄物分別情報をサーバ１２１に対して送信することができる。そのため、たとえば作業員１１１は、作業員１１１による廃棄物分別情報の入力操作を含む廃棄物１５２の収集作業を効率的かつ確実におこなうことができる。
【０１０３】
（廃棄物分別情報管理ＤＢ４１０に記録される廃棄物分別情報記録データの一例）
つぎに、廃棄物分別情報管理ＤＢ４１０に記録される廃棄物分別情報記録データの一例について説明する。図１０は、廃棄物分別情報管理ＤＢ４１０に記録される廃棄物分別情報記録データの一例を示す説明図である。
【０１０４】
図１０において、廃棄物分別情報記録データは、「排出者ＩＤ」と、「氏名」と、「メールアドレス」と、「収集日」と、「収集時間」と、「収集場所」と、「廃棄物容器ＩＤ」と、「種別」と、「廃棄物分別」と、によって構成されている。
【０１０５】
廃棄物分別情報記録データのうち「排出者ＩＤ」、「氏名」、「メールアドレス」、「収集日」、「収集時間」、「収集場所」、「廃棄物容器ＩＤ」、「種別」には廃棄物情報取得部４０２によって取得された廃棄物情報に基づいて値が設定される。
【０１０６】
また、廃棄物分別情報記録データのうち「廃棄物分別」は、廃棄物分別情報入力部４０１によって取得された廃棄物分別情報に基づいて値が設定される。また、「廃棄物容器ＩＤ」は廃棄物情報と廃棄物分別情報とを関連付けするために利用されるキーであり、廃棄物情報と廃棄物分別情報とのどちらにも含まれているものである。
【０１０７】
図１０において、廃棄物分別情報記録データは、たとえば排出者ＩＤ「ＩＤ０００１」を有する排出者１４０「総研太郎」によって排出された廃棄物種別が「プラスチック」の廃棄物１５２は、廃棄物１５２の分別がただしくおこなわれていなかったことを示している。
【０１０８】
（廃棄物分別情報管理ＤＢ４１０から抽出された廃棄物分別情報記録データの一例）
つぎに、廃棄物分別情報管理ＤＢ４１０から抽出された廃棄物分別情報記録データの一例について説明する。図１１−１は、廃棄物分別情報管理ＤＢ４１０から抽出された廃棄物分別情報記録データの一例を示す説明図である。
【０１０９】
図１１−１において、廃棄物分別情報記録データは、図５−１を用いて上述した廃棄物分別情報記録データに対して、図１０を用いて上述した廃棄物分別情報記録データがさらに記録されている点が、図５−１を用いて上述した廃棄物分別情報記録データと異なる。たとえば廃棄物分別情報記録データには、排出者ＩＤ「ＩＤ０００１」を有する排出者１４０「総研太郎」によって過去に排出された廃棄物１５２のうち、廃棄物１５２の分別がただしくおこなわれていなかった回数は２回であることが示されている。
【０１１０】
このように、廃棄物分別情報管理ＤＢ４１０に格納されている廃棄物分別情報記録データには、廃棄物１５２の収集がおこなわれる度に、廃棄物収集管理装置１２０によってあらたに廃棄物分別情報記録データが記録される。これによって、廃棄物収集管理装置１２０は、所定の排出者１４０に対する廃棄物分別情報記録データの履歴を廃棄物分別情報管理ＤＢ４１０から抽出することができる。また、たとえば廃棄物収集管理装置１２０は、廃棄物分別情報管理ＤＢ４１０抽出された廃棄物分別情報記録データによって、所定の排出者１４０に対して廃棄物１５２の収集を制限するか否かを判断することができる。
【０１１１】
（収集制限実施情報が更新された後の収集制限実施情報の一例）
つぎに、収集制限実施情報が更新された後の収集制限実施情報管理ＤＢ４２０に格納されている収集制限実施情報の一例について説明する。図１１−２は、収集制限実施情報が更新された後の収集制限実施情報管理ＤＢ４２０に格納されている収集制限実施情報の一例を示す説明図である。
【０１１２】
図１１−２において、収集制限実施情報は、図５−２を用いて上述した収集制限実施情報から、廃棄物収集管理装置１２０が図１１−１に示した廃棄物分別情報記録データに基づいておこなった廃棄物収集管理処理によって、排出者ＩＤ「ＩＤ０００１」を有する排出者１４０「総研太郎」に対する収集制限実施情報が更新されている点が、図５−２を用いて上述した収集制限実施情報と異なる。たとえば収集制限実施情報には、排出者ＩＤ「ＩＤ０００１」を有する排出者１４０「総研太郎」が排出する廃棄物１５２の収集が、制限終了日「２００６／２／２８」まで制限されていることが示されている。
【０１１３】
このように、収集制限実施情報管理ＤＢ４２０に格納されている収集制限実施情報は、廃棄物の収集が制限される度、および廃棄物の収集が解除される度に、廃棄物収集管理装置１２０によって更新される。これによって、たとえば廃棄物収集管理装置１２０は、収集制限実施情報管理ＤＢ４２０に格納されている収集制限実施情報によって、所定の排出者１４０に対して廃棄物１５２の収集が制限されているか否かを判断することができる。
【０１１４】
（情報端末１６０の画面上に出力された収集制限情報の一例）
つぎに、排出者１４０が保有する情報端末１６０の画面上に出力された収集制限情報の一例について説明する。図１２は、排出者１４０が保有する情報端末１６０の画面上に出力された排出者１４０に対して警告することを示す収集制限情報の一例を示す説明図である。図１２において、画面１２０１は排出者１４０が保有する情報端末１６０に表示された画面であり、廃棄物収集管理装置１２０から自動送信された収集制限情報が表示されている。
【０１１５】
図１２において、たとえば画面１２０１には、廃棄物収集管理装置１２０から自動送信された、廃棄物１５２の分別をただしくおこなうように警告する旨の電子メール『廃棄物の分別が正しくおこなわれておりません。再度廃棄物の分別が正しくおこなわれなかった場合は、廃棄物の収集を制限します。』が表示されている。
【０１１６】
図１３は、排出者１４０が保有する情報端末１６０の画面上に出力された廃棄物１５２の収集を制限することを示す収集制限情報の一例を示す説明図である。図１３において、画面１３０１は排出者１４０が保有する情報端末１６０に表示された画面であり、廃棄物収集管理装置１２０から自動送信された収集制限情報が表示されている。
【０１１７】
図１３において、たとえば画面１３０１には、廃棄物収集管理装置１２０から自動送信された、廃棄物１５２に収集をおこなわない旨の電子メール『廃棄物の分別が再度正しくおこなわれませんでした。よって、本日より２月２８日まで総研太郎様によって排出された廃棄物を収集いたしません。』が表示されている。
【０１１８】
このように、廃棄物収集管理装置１２０は、人手による作業を介すことなく収集制限情報を排出者１４０が保有する情報端末１６０に自動送信することによって、効率的かつ確実に収集制限情報を排出者１４０に対して通知することができる。そのため、排出者１４０によって廃棄される廃棄物１５２の排出の適正化を図ることができる。
【０１１９】
（端末１２２から出力された収集制限情報の一例）
つぎに、作業員１１１が保有する端末１２２から出力された廃棄物１５２の収集をおこなわないように指示する収集制限情報の一例について説明する。図１４は、作業員１１１が保有する端末１２２から出力された廃棄物１５２の収集をおこなわないように指示する収集制限情報の一例を示す説明図である。
【０１２０】
図１４において、画面１４０１は作業員１１１が保有する端末１２２（ディスプレイ３０８）に表示された画面である。画面１４０１には、排出者ＩＤ「ＩＤ０００１」を有する排出者１４０によって廃棄された廃棄物１５２であって、作業員１１１によって廃棄物収集車１３０の廃棄物投入口付近に載置された廃棄物容器１５１（図８参照）に格納されている廃棄物１５２の収集をおこなわないように指示する内容の収集制限情報が表示されている。
【０１２１】
また、端末１２２に備えられたスピーカ３０９からは、上記指示に対応する音声『廃棄物の収集はおこなわないでください』が出力されている。このように、廃棄物収集管理装置１２０は、テキストデータ、画像データ、音声データなどの収集制限情報を端末１２２から出力することによって、たとえば作業員１１１は、視覚的および聴覚的に収集制限情報の内容（廃棄物１５２の収集をおこなってよいか否か）を確認することができる。そのため、たとえば作業員１１１は、廃棄物１５２の収集作業における収集制限情報の確認作業を効率的かつ確実におこなうことができる。
【０１２２】
以上説明したように、本実施の形態によれば、廃棄物容器１５１を廃棄物収集車１３０の廃棄物投入口付近に載置して、端末１２２に備えられた操作ボタン３１１ａおよび操作ボタン３１１ｂを押下するだけといった簡単な作業を作業員１１１におこなわせることによって、廃棄物分別情報を取得して、廃棄物分別情報管理ＤＢ４１０に記録することができる。そのため、より簡単な作業により廃棄物１５２の分別状態に関する情報の収集・管理を効率的かつ確実におこなうことができる。
【０１２３】
また、本実施の形態によれば、人手による作業を介すことなく、廃棄物収集管理装置１２０によって、収集制限情報を排出者１４０が保有する情報端末１６０や、作業員１１１が保有する端末１２２に送信して、排出者１４０による廃棄物１５２の排出を制限したり、廃棄物１５２の排出を制限したりすることを排出者１４０に対して通知することができる。これによって、排出者１４０による廃棄物１５２の不正な排出を防止することができる。そのため、排出者１４０による廃棄物１５２の排出の適正化を図ることができる。
【０１２４】
また、本実施の形態によれば、ＲＦＩＤタグ１５３は、廃棄物容器１５２に設けられており、廃棄物１５２が収集された後に、廃棄物容器１５２とともに排出者１４０に返却される。そのため、ＩＤタグ１５３を排出者１４０に繰り返し配布することなく、ＩＤタグ１５３の利用に伴うコスト（たとえば回収費用、購入費用、管理費用、配布費用など）を削減することができる。
【０１２５】
なお、本実施の形態においては、一例として廃棄物分別情報記録データを廃棄物分別情報管理ＤＢ４１０に記録して、収集制限実施情報を収集制限実施情報管理ＤＢ４２０に記録する廃棄物収集管理装置１２０を用いたが、たとえば廃棄物分別情報記録データおよび収集制限実施情報をＲ／Ｗ１２３によって、廃棄物容器１５１に貼付されたＲＦＩＤタグ１５３に記録するようにしてもよい。
【０１２６】
これによって、たとえば収集制限実施情報管理ＤＢ４２０を省いた簡単なシステム構成によって上述した廃棄物収集管理処理方法を実現することができる。そのため、廃棄物収集管理システム１２０を小型化することができ、たとえば廃棄物収集管理システム１２０の構築費用や、廃棄物収集管理システム１２０の維持管理費用などを圧縮することができる。
【０１２７】
また、本実施の形態においては、廃棄物１５２に分別をただしくおこなわない排出者１４０に対しては、ごみ１５２の収集の制限をおこなうようにしているが、たとえば廃棄物１５２の処分料金を増額する、ごみ容器１５１の使用料金を増額する、ごみ容器１５１を没収する、ごみ１５２の収集回数を減らす、などの制限をおこなうようにしても良い。
【０１２８】
また、本実施の形態においては、廃棄物１５２の分別をただしくおこなわない排出者１４０に対しては、ごみ１５２の収集の制限をおこなうようにしているが、たとえば良質な排出者１４０に対しては、廃棄物１５２の処分料金を減額する、ごみ容器１５１の使用料金を減額する、ごみ容器１５１を追加する、ごみ１５２の収集回数を増やす、などの優遇をおこなうようにしてもよい。
【０１２９】
（ＲＦＩＤタグ１５３の読み取り作業の別の一例）
ここで、Ｒ／Ｗ１２３によるＲＦＩＤタグ１５３の読み取り作業の別の一例について説明する。図１５は、Ｒ／Ｗ１２３によるＲＦＩＤタグ１５３の読み取り作業の別の一例を示す説明図である。
【０１３０】
図１５において、廃棄物収集場１１２には、表示装置として端末１２２が設けられ、情報読み取り装置としてＲ／Ｗ１２３が設けられたゲート１５００が設置されている。ここで、ゲート１５００に設けられたＲ／Ｗ１２３は、常にＲＦＩＤタグ１５３を検出するように待機している。これにより、排出者１４０が廃棄物１５２を廃棄物収集場１１２に廃棄するとき、すなわち、廃棄物容器１５１がゲート１５００内を通過したときに、廃棄物容器１５１に貼付されたＲＦＩＤタグ１５３がＲ／Ｗ１２３によって検出される。そして、ＲＦＩＤタグ１５３を検出したＲ／Ｗ１２３は、ＲＦＩＤタグ１５３から廃棄物情報を読み取る。
【０１３１】
また、図１５に示すように、廃棄物容器１５１には、廃棄物１５２Ａおよび廃棄物１５２Ｂが格納されており、廃棄物１５２Ａおよび廃棄物１５２Ｂには、それぞれＲＦＩＤタグ１５３ＡおよびＲＦＩＤタグ１５３Ｂが貼付もしくは内蔵されている。ここで、ＲＦＩＤタグ１５３ＡおよびＲＦＩＤタグ１５３Ｂには、廃棄物の種別を特定することが可能な廃棄物情報がそれぞれ記録されている。
【０１３２】
そして、排出者１４０が廃棄物１５２を廃棄物収集場１１２に廃棄するとき、すなわち、廃棄物容器１５１がゲート１５００内を通過したときに、ＲＦＩＤタグ１５３ＡおよびＲＦＩＤタグ１５３ＢがＲ／Ｗ１２３によって検出される。そして、ＲＦＩＤタグ１５３ＡおよびＲＦＩＤタグ１５３Ｂを検出したＲ／Ｗ１２３は、ＲＦＩＤタグ１５３ＡおよびＲＦＩＤタグ１５３Ｂから廃棄物情報を読み取る。
【０１３３】
このように、Ｒ／Ｗ１２３によって各ＲＦＩＤタグ（ＲＦＩＤタグ１５３、ＲＦＩＤタグ１５３ＡおよびＲＦＩＤタグ１５３Ｂ）から読み取られた各廃棄物情報は、Ｒ／Ｗ１２３から端末１２２に送信される。
【０１３４】
そして、各廃棄物情報を受信した端末１２２においては、ＲＦＩＤタグ１５３から読み取った廃棄物情報と、ＲＦＩＤタグ１５３ＡおよびＲＦＩＤタグ１５３Ｂから読み取った廃棄物情報とに基づいて、廃棄物１５２の分別状態（「良」または「不良」）が自動的に判断され、この判断結果を含む廃棄物分別情報が生成される。
【０１３５】
たとえば、ＲＦＩＤタグ１５３から読み取った廃棄物情報に種別として「プラスチック」が記録されているにも関わらず、ＲＦＩＤタグ１５３ＡおよびＲＦＩＤタグ１５３Ｂから読み取った廃棄物情報に「プラスチック」以外の種別（「紙」、「カン」、「衣料」、「ビン」など）が記録されている場合、端末１２２は、廃棄物１５２の分別状態を「不良」と判断し、この判断結果を含む廃棄物分別情報を生成する。
【０１３６】
このとき、端末１２２は、生成した廃棄物分別情報を当該端末１２２に備えられたディスプレイ３０８の画面上に表示したり、同じく当該端末１２２に備えられたスピーカ３０９（図示省略）から音声出力したりすることによって、上記判断結果をその場で排出者１４０に通知するようにしてもよい。また、上記判断結果が「不良」の場合は、たとえば廃棄物１５２を収集しない旨の警告メッセージや、廃棄物１５２の持ち帰りや再分別を促す旨の警告メッセージなどをディスプレイ３０８の画面上に表示するようにしてもよい。
【０１３７】
また、端末１２２は、Ｒ／Ｗ１２３を介して、ＲＦＩＤタグ１５３の読み取り作業がおこなわれたか否かに関する情報を、廃棄物容器１５１に貼付されたＲＦＩＤタグ１５３に記録するようにしてもよい。また、端末１２２は、上記判断結果が「不良」の場合は、Ｒ／Ｗ１２３を介して、上記判断結果をＲＦＩＤタグ１５３に記録するようにしてもよい。
【０１３８】
これにより、作業員１１１は、たとえばＲＦＩＤタグリーダなどを用いて、廃棄物容器１５１ごとに、ＲＦＩＤタグ１５３を読み取ることによって、上記判断結果、上記読み取り作業の実施有無、および当該廃棄物１５２を収集するか否かをその場で判断することができる。
【０１３９】
さらに、廃棄物容器１５１ごとに、液晶パネルなどの表示手段を設け、当該表示手段によって、上記判断結果や、上記読み取り作業の実施有無に関する情報などを表示するようにしてもよい。これにより、作業員１１１は、廃棄物容器１５１ごとに、ＲＦＩＤタグ１５３の読み取り作業をおこなうことなく、上記判断結果、上記読み取り作業の実施有無、および当該廃棄物１５２を収集するか否かをその場で判断することができる。
【０１４０】
また、上記表示手段によって、上記判断結果とともに、ＲＦＩＤタグ１５３から読み取った排出者１４０を特定するための情報（たとえばＩＤ、氏名、住所など）を表示するようにしてもよい。これにより、「不良」と判断された廃棄物容器１５１や、上記読み取り作業がおこなわれていない廃棄物容器１５１が、廃棄物収集場１１２に放置されることを抑止することができる。
【０１４１】
また、廃棄物容器１５１ごとに、オートロックなどの施錠手段を設け、上記読み取り作業がおこなわれることにより、当該施錠手段によって、廃棄物容器１５１が自動的に施錠されるようにしてもよい。これにより、排出者１４０や悪意の第三者によって、廃棄物収集場１１２に排出された廃棄物容器１５１内に、不正に廃棄物１５２が廃棄されることを防止することができる。
【０１４２】
そして、端末１２２は、Ｒ／Ｗ１２３から受信した廃棄物情報と、自ら生成した廃棄物分別情報とをネットワーク２０１（図２参照）を介してサーバ１２１（図２参照）に対して送信する。ここで、端末１２２は、廃棄物分別情報を生成するたびに、上記送信処理をおこなうようにしてもよい。これによりサーバ１２１においては、廃棄物分別情報をリアルタイムに取得することができる。
【０１４３】
また、端末１２２は、廃棄物分別情報を生成するたびに、当該廃棄物分別情報を一時的に記憶しておき、作業員１１１によって廃棄物１５２が収集されるとき、すなわち作業員１１１によって送信処理の指示入力がおこなわれたときに、一括して上記送信処理をおこなうようにしてもよい。これにより、たとえ上記判断処理によって「不良」と判断された場合であっても、排出者１４０は廃棄物１５２が収集されるときまでに廃棄物１５２の再分別をおこなえばよく、排出者１４０に猶予を与えることができる。
【０１４４】
なお、Ｒ／Ｗ１２３は、ゲート１５００に設けられているものに限らず、たとえばハンディタイプのものであってもよい。また、各排出者１４０にあらかじめ配布され、かつ廃棄物分別情報を生成することが可能なものであってもよい。この場合、たとえば排出者１４０は、自宅などの室内で上記読み取り作業をおこない、生成された廃棄物分別情報をＲＦＩＤタグ１５３に記録しておくようにしてもよい。また、たとえば排出者１４０は、自宅などの室内で上記読み取り作業をおこない、ＲＦＩＤタグ１５３から読み取った廃棄物情報と、生成された廃棄物分別情報とを、ネットワーク２０１と接続されたパーソナル・コンピュータなどを介して、サーバ３０１へ送信しておくようにしてもよい。
【０１４５】
このように、ＲＦＩＤタグ１５３の読み取り作業を、排出者１４０にあらかじめおこなわせることによって、作業員１１１による収集作業の作業時間の短縮を図ることができる。また、廃棄物容器１５１に貼付されたＲＦＩＤタグから読み取った廃棄物情報と、廃棄物１５２に貼付または内蔵されたＲＦＩＤタグから読み取った廃棄物情報とに基づいて、廃棄物１５２の分別状態を自動的に判断する構成としたことによって、当該判断処理を効率的かつ確実におこなうことができる。
【０１４６】
なお、本実施の形態で説明した廃棄物収集管理方法は、あらかじめ用意されたプログラムをパーソナル・コンピュータやワークステーションなどの廃棄物収集管理装置で実行することにより実現することができる。このプログラムは、ＲＡＭ、ハードディスク、フレキシブルディスク、ＣＤ−ＲＯＭ、ＭＯ、ＤＶＤなどのコンピュータで読み取り可能な記録媒体に記憶され、コンピュータによって記録媒体から読み出されることによって実行される。またこのプログラムは、インターネットなどのネットワークを介して配布することが可能な伝送媒体であってもよい。
【産業上の利用可能性】
【０１４７】
以上のように、本発明にかかる廃棄物収集管理装置、廃棄物収集管理方法、および廃棄物収集管理プログラムは、自治体などによる廃棄物収集業務に利用可能であり、例えば、排出者によって廃棄される廃棄物の排出の適正化に適している。
【図面の簡単な説明】
【０１４８】
【図１】この発明の本実施の形態にかかる廃棄物収集管理装置、廃棄物収集管理方法、および廃棄物収集管理プログラムの概要を示す説明図である。
【図２】この発明の本実施の形態にかかる廃棄物収集管理装置を含む全体システムの構成を示す説明図である。
【図３】廃棄物収集管理装置のハードウェア構成の一例を示すブロック図である。
【図４】この発明の本実施の形態にかかる廃棄物収集管理装置の機能的構成の一例を示すブロック図である。
【図５−１】本実施の形態にかかる廃棄物収集管理装置の廃棄物分別情報管理ＤＢに格納されている廃棄物分別情報記録データのデータ構成の一例を示す説明図である。
【図５−２】本実施の形態にかかる廃棄物収集管理装置の収集制限実施情報管理ＤＢ４２０に格納されている収集制限実施情報のデータ構成の一例を示す説明図である。
【図６】廃棄物容器に貼付されたＲＦＩＤタグに記録されている廃棄物情報のデータ構成の一例を示す説明図である
【図７】この発明の本実施の形態にかかる廃棄物収集管理装置による廃棄物収集管理処理の手順を示すフローチャートである。
【図８】Ｒ／ＷによるＲＦＩＤタグの読み取り作業を含む廃棄物の収集作業の一例を示す説明図である。
【図９】作業員による廃棄物分別情報の入力操作を含む廃棄物の収集作業の一例を示す説明図である。
【図１０】廃棄物分別情報管理ＤＢに格納されている廃棄物分別情報記録データの一例を示す説明図である。
【図１１−１】廃棄物分別情報管理ＤＢから抽出された廃棄物分別情報記録データの一例を示す説明図である。
【図１１−２】収集制限実施情報が更新された後の収集制限実施情報管理ＤＢに格納されている収集制限実施情報の一例を示す説明図である。
【図１２】排出者が保有する情報端末の画面上に出力された排出者に対して警告することを示す収集制限情報の一例を示す説明図である。
【図１３】排出者が保有する情報端末の画面上に出力された廃棄物の収集を制限することを示す収集制限情報の一例を示す説明図である。
【図１４】作業員が保有する端末から出力された廃棄物の収集をおこなわないように指示する収集制限情報の一例を示す説明図である。
【図１５】Ｒ／ＷによるＲＦＩＤタグの読み取り作業の別の一例を示す説明図である。
【符号の説明】
【０１４９】
１１０  自治体
１１１  作業員
１２０  廃棄物収集管理装置
１２１  サーバ
１２２  端末
１２３  Ｒ／Ｗ
１３０  廃棄物収集車
１４０  排出者
１５０  廃棄物
１５１  廃棄物容器
１５２  廃棄物
１５３  ＲＦＩＤタグ
１６０  情報端末
２００  廃棄物収集管理システム
２０１  ネットワーク
４０１  廃棄物分別情報入力部
４０２  廃棄物情報取得部
４０３  廃棄物分別情報記録部
４０４  収集制限判断部
４０５  収集制限情報出力部
４０６  収集制限情報送信部
４０７  収集制限実施情報更新部
４１０  廃棄物分別情報管理ＤＢ
４２０  収集制限実施情報管理ＤＢ
【図１】
2008041054.tif 000003
【図２】
2008041054.tif 000004
【図３】
2008041054.tif 000005
【図４】
2008041054.tif 000006
【図５−１】
2008041054.tif 000007
【図５−２】
2008041054.tif 000008
【図６】
2008041054.tif 000009
【図７】
2008041054.tif 000010
【図８】
2008041054.tif 000011
【図９】
2008041054.tif 000012
【図１０】
2008041054.tif 000013
【図１１−１】
2008041054.tif 000014
【図１１−２】
2008041054.tif 000015
【図１２】
2008041054.tif 000016
【図１３】
2008041054.tif 000017
【図１４】
2008041054.tif 000018
【図１５】
2008041054.tif 000019